(57)【要約】【課題】冷却室内の温度を庫内灯の色によって表示する。【解決手段】庫内灯１５を３原色ＬＥＤからなる色光源３３で構成し、扉が開放されているとき、温度センサ１３の検知した温度に応じて庫内灯１５の色光源３３の色を変化させる。より詳しくは、温度センサ１３で検知される温度範囲を複数の温度帯に区画して各温度帯に対して異なった色を割り当て、庫内灯１５の色光源３３の色を温度センサ１３が検知した温度帯に応じて離散的に変化させる。【選択図】  図４
2004286333.tif 000002
【特許請求の範囲】
【請求項１】
少なくとも１つの冷却室と、該冷却室の扉の開放を検知すると作動する扉スイッチと、前記冷却室内に設置され前記扉スイッチが作動すると点灯する庫内灯と、前記冷却室の内部温度を検知する温度センサとを有する冷凍冷蔵庫において、
前記庫内灯を３原色ＬＥＤ又は３原色ＬＣＤからなる色光源で構成し、前記温度センサの検知した温度に応じて前記庫内灯の前記色光源の色を変化させる制御手段を設けたことを特徴とする冷凍冷蔵庫。
【請求項２】
請求項１に記載の冷凍冷蔵庫において、
前記温度センサで検知される温度範囲を複数の温度帯に区画して各温度帯に対して異なった色を割り当て、
前記制御手段は、前記庫内灯の前記色光源の色を前記温度センサが検知した温度帯に応じて離散的に変化させることを特徴とする冷凍冷蔵庫。
【請求項３】
請求項１に記載の冷凍冷蔵庫において、
前記制御手段は、前記扉スイッチが第１の所定時間を超えて作動すると前記庫内灯の前記色光源を減灯させることを特徴とする冷凍冷蔵庫。
【請求項４】
請求項１に記載の冷凍冷蔵庫において、
前記制御手段は、前記扉スイッチが第２の所定時間を超えて作動すると前記庫内灯の前記色光源を点滅させることを特徴とする冷凍冷蔵庫。
【請求項５】
請求項１に記載の冷凍冷蔵庫において、
前記制御手段は、前記扉スイッチが第１の所定時間以上で第２の所定時間以内の時間作動するとき前記庫内灯の前記色光源を減灯させ、該第２の所定時間を超えて作動するとき前記庫内灯の前記色光源を点滅させることを特徴とする冷凍冷蔵庫。
【請求項６】
請求項１乃至５のいずれか１つに記載の冷凍冷蔵庫において、
前記制御手段は、前記温度センサが検知した温度が低いときは前記庫内灯の前記色光源で寒色系の色を表示させ、高いときは暖色系の色を表示させることを特徴とする冷凍冷蔵庫。
【請求項７】
請求項４又は５のいずれか１つに記載の冷凍冷蔵庫において、
前記庫内灯の前記色光源の点滅は、前記温度センサが検知した温度に関係なく暖色系の色で行われるようにしたことを特徴とする冷凍冷蔵庫。
【請求項８】
請求項１乃至７のいずれか１つに記載の冷凍冷蔵庫において、
前記色光源は、前記３原色ＬＥＤ又は３原色ＬＣＤの複数個を設置した回転台と該回転台の表面を覆う光拡散性を有するカバーとからなり、前記回転台の回転により前記複数の３原色ＬＥＤ又は３原色ＬＣＤの光を面光源化させるようにしたことを特徴とする冷凍冷蔵庫。
【発明の詳細な説明】
【０００１】
【発明の属する技術分野】
本発明は、冷却室内の温度を庫内灯の色変化によって表示するようにした冷凍冷蔵庫に関するものである。
【０００２】
【従来の技術】
冷凍冷蔵庫は、例えば図８に示すように、最上段に冷蔵室１（約３℃）、その下段に横並びで切替室２と製氷室３（約−１９℃）、その下段に野菜室４（約７℃）、最下段に冷凍室５（約−１９℃）が配置されている。切替室２は冷却温度設定の切替によってソフト冷凍室（約−８℃）、パーシャル室（約−３℃）、チルド室（約０．５℃）、ワイン室（約１０℃）等として使用される。そして、冷却室の温度を表示するタイプの冷凍冷蔵庫では、表示／操作部６が設けられ、ここにおいて各冷却室の内部温度をサーミスタ等の温度センサで検知して数値表示している。図９はこの表示／操作部６を示す図であり、７はＬＣＤ（液晶）等からなる温度数値表示部を、８は温度設定やその他の操作のためのボタン等からなる操作部を示す。
【０００３】
温度制御は温度幅（ディファレンシャル：目標温度と現在温度との差）に従いヒステリシスを持たせて行われるので、高すぎる温度になったり低すぎる温度になったりする可能性があり、それをリアルタイム形式で表示するときは、これがそのまま表示されることになるので、故障した等の誤解を与えるおそれがある。
【０００４】
一方、検知温度の積分平均や移動平均値を用いて表示を行う場合は、リアルタイム表示に比べて変動が少ないが、例えば冷却室の扉を開けておいても表示温度は急速には変化しない。このため、数値による定量的表示と実際の冷え具合との関連が曖昧となり、冷却室の温度をこのような平均値から得た数値で明示することはそのときの冷却室内の冷え具合を各人の判断（想像）にゆだねることになり、ときには温度に問題がないにもかかわらず、ユーザのクレームを喚起することにつながる。
【０００５】
なお、ショーケースの庫内の貯蔵室内の照明灯の保護管にサーモテープを付着して、その貯蔵室の温度を色で表示するようにしたものがある（特許文献１）。しかし、このサーモテープはある程度大きな温度変化がなければ色が目立って変化しないので、若干の温度変化が貯蔵食品の品質に影響を与える冷凍冷蔵庫には使用できないばかりか、温度と色の関係を任意に設定することができないという問題がある。
【０００６】
【特許文献１】実開昭６３−１２００８４号公報
【０００７】
【発明が解決しようとする課題】
以上のように、冷却室の温度を数値で表示する場合にはリアルタイム表示でもまた平均値表示でも問題があり、またサーモテープの色で表示する方式も問題がった。
【０００８】
本発明の目的は、以上のような問題点を解消して、扉を開いたときの庫内温度表示を行うようにした冷凍冷蔵庫を提供することである。
【０００９】
【課題を解決するための手段】
請求項１にかかる発明は、少なくとも１つの冷却室と、該冷却室の扉の開放を検知すると作動する扉スイッチと、前記冷却室内に設置され前記扉スイッチが作動すると点灯する庫内灯と、前記冷却室の内部温度を検知する温度センサとを有する冷凍冷蔵庫において、前記庫内灯を３原色ＬＥＤ又は３原色ＬＣＤからなる色光源で構成し、前記温度センサの検知した温度に応じて前記庫内灯の前記色光源の色を変化させる制御手段を設けたことを特徴とする冷凍冷蔵庫とした。
【００１０】
請求項２にかかる発明は、請求項１に記載の冷凍冷蔵庫において、前記温度センサで検知される温度範囲を複数の温度帯に区画して各温度帯に対して異なった色を割り当て、前記制御手段は、前記庫内灯の前記色光源の色を前記温度センサが検知した温度帯に応じて離散的に変化させることを特徴とする冷凍冷蔵庫とした。
【００１１】
請求項３にかかる発明は、請求項１に記載の冷凍冷蔵庫において、前記制御手段は、前記扉スイッチが第１の所定時間を超えて作動すると前記庫内灯の前記色光源を減灯させることを特徴とする冷凍冷蔵庫とした。
【００１２】
請求項４にかかる発明は、請求項１に記載の冷凍冷蔵庫において、前記制御手段は、前記扉スイッチが第２の所定時間を超えて作動すると前記庫内灯の前記色光源を点滅させることを特徴とする冷凍冷蔵庫とした。
【００１３】
請求項５にかかる発明は、請求項１に記載の冷凍冷蔵庫において、前記制御手段は、前記扉スイッチが第１の所定時間以上で第２の所定時間以内の時間作動するとき前記庫内灯の前記色光源を減灯させ、該第２の所定時間を超えて作動するとき前記庫内灯の前記色光源を点滅させることを特徴とする冷凍冷蔵庫とした。
【００１４】
請求項６にかかる発明は、請求項１乃至５のいずれか１つに記載の冷凍冷蔵庫において、前記制御手段は、前記温度センサが検知した温度が低いときは前記庫内灯の前記色光源で寒色系の色を表示させ、高いときは暖色系の色を表示させることを特徴とする冷凍冷蔵庫とした。
【００１５】
請求項７にかかる発明は、請求項４又は５のいずれか１つに記載の冷凍冷蔵庫において、前記庫内灯の前記色光源の点滅は、前記温度センサが検知した温度に関係なく暖色系の色で行われるようにしたことを特徴とする冷凍冷蔵庫とした。
【００１６】
請求項８にかかる発明は、請求項１乃至７のいずれか１つに記載の冷凍冷蔵庫において、前記色光源は、前記３原色ＬＥＤ又は３原色ＬＣＤの複数個を設置した回転台と該回転台の表面を覆う光拡散性を有するカバーとからなり、前記回転台の回転により前記複数の３原色ＬＥＤ又は３原色ＬＣＤの光を面光源化させるようにしたことを特徴とする冷凍冷蔵庫とした。
【００１７】
【発明の実施の形態】
本実施形態では、冷蔵室や冷凍室等の冷却室の扉を開いたときにそれに連動して作動する扉スイッチによって庫内灯が点灯する冷凍冷蔵庫において、庫内灯に庫内の食品を照らすという役割・目的以外に、庫内灯の色を庫内の温度に応じて変化させる機能を持たせる。庫内にはサーミスタ等の温度センサを設置して、その温度センサで検知した庫内温度に応じて、その温度が高いときは暖色系、低いときは寒色系の色に変化させ、庫内温度に追尾してリニアに又は離散的に色を変化せる。このときの庫内灯は３原色ＬＥＤや３原色ＬＣＤなどの色光源で構成し、温度と色の関係を所望の関係に設定する。
【００１８】
このようにすることで、数値ではなく色によって庫内温度が表示されるので、、各個人の持つ漠然とした色彩の感情効果（温度感覚）に強い印象を与えることでき、数値による定量的表示よりも冷却内容が実感できやすくなり、ユーザによる扉の開閉頻度や扉の開放時間が抑制されやすくなる。また、温度と色光源の色との関係は任意に設定できるので、微妙な温度変化を大きな色変化で表すことも可能となり、わずかな温度変化が貯蔵食品の品質に影響与える冷凍冷蔵庫に好適となる。
【００１９】
図１は冷凍冷蔵庫の各冷却室の基準温度とそれに対応した基準色の関係を示す図である。このように、温度が低いほど寒色度の強い色を割り当て、高いほど暖色度の強い色を割り当てることによって、温度を視覚的に認識することが可能となる。
【００２０】
【実施例】
以下、冷凍冷蔵庫の内の冷蔵室の温度表示を行う場合の実施例について詳しく説明する。図２は冷蔵室の制御ブロック図である。１１はマイクロコンピュータ等からなる制御部、１２は温度設定その他を行うための操作部、１３は冷蔵室１に設けたサーミスタからなる温度センサ、１４は冷蔵室１の扉を開放すると連動して作動する扉スイッチ、１５は３原色ＬＥＤ（発光ダイオード）からなる色光源をもつ庫内灯、１６は冷凍サイクル、１７はその冷凍サイクルの蒸発器で生成した冷気をダクトを介して冷蔵室１内に吹き出す送風ファン、１８は設定温度等を格納するメモリ、１９は他の電気系統である。図３は制御系統図であり、冷凍サイクル１６は圧縮機２１、凝縮器２２、キャピラリー２３、蒸発器２４を具備し、圧縮機２１が制御部１１によって制御される。
【００２１】
図４はこの庫内灯１５を制御するフローチャートである。まず、冷蔵室１の扉が開いたか否かを判定して、開いたときは庫内灯１５を点灯させる。そして、庫内灯１５を点灯させた後は、反復記号Ｉを０に設定して、それを１つインクリメントする度に温度センサ１３で検知した温度Ｔｓに応じて、庫内灯１５の色を制御し、Ｉ＝１０になるまでこれを繰り返す。冷蔵室１の場合であるので、色の制御は温度Ｔｓが０℃＜Ｔｓ＜１０℃の範囲において複数の温度帯を予め区画しておき、各温度帯に特定の色を割り当てる。このとき、特定の温度帯の色には明暗の区別も行う。また、高い温度帯には暖色系の色を、低い温度帯には寒色系の色を割り当てる。
【００２２】
Ｉ＝１０になった時点で、扉の開いている時間が１分以上２分未満のときは、そのとき特定の色で表示している庫内灯１５の明るさを暗く（減灯）し、再度反復記号Ｉを０に設定して、Ｉ＝１０になるまで温度センサ１３で検知した温度Ｔｓに応じて、庫内灯１５の色を制御する。扉の開いている時間が２分以上になったときは庫内灯１５を点滅させる。
【００２３】
庫内灯１５では、赤、青、緑の３原色の光の組み合わせにより、１つの色を表現する。この３原色を組み合わせると、例えば図５に示すように多数の色を表すことができる。そこで、この庫内灯１５は、図６に示すように、筒状体３１に赤、緑、青のＬＥＤ３２Ｒ，３２Ｇ，３２Ｂを収納して３原色ＬＥＤからなる色光源３３を構成し、この色光源３３を回転台座３４の表面の中央に１個、周囲に８個で合計９個配置し、その表面側を磨りガラスのような光拡散効果の大きな材質のカバー（図示せず）で覆って構成する。なお、色光源３３の回転台座３４への取り付けは、波長の短い青色のＬＥＤ３２Ｂを外周側に位置させる。また、回転台座３４は扉スイッチ２７が扉開放により作動したときモータ等によって回転するように構成する。また、回転台座３４は、光の乱反射しやすい白色のＡＢＳ板のようなプラスチックプレート等を材質とし、必要に応じてランダムな傷をつけて乱反射効果を高めたものとする。このような庫内灯１５の取付位置は、冷蔵室１の冷気ダクト吐出口近傍の壁面、他の壁面、天井等とし、その場所に埋設させる。
【００２４】
以上により、複数の色光源３３の発光光は、カバー内における回転台座３４の定速回転によって混合されカバーによって拡散されて冷蔵室１内に放射されるので、１つの色の面光源として機能する。
【００２５】
ＬＥＤ３２Ｒ，３２Ｇ，３２Ｂへの印加電圧は、例えばＤＣの０Ｖ、２Ｖ、４Ｖとする。０Ｖは消灯、２Ｖは半灯、４Ｖは全灯である。そして、ＬＥＤ３２Ｒ＝Ｒ、３２Ｇ＝Ｇ、３２Ｂ＝Ｂと表記し、各ＬＥＤに印加する電圧を添え字として、０Ｖ＝０、２Ｖ＝０．５、４Ｖ＝１とする。例えば、２Ｖが印加された赤色のＬＥＤ３２Ｒは、Ｂ０．５と表す。色の合成に関しては、Ｒ０．５＋Ｇ０．５＋Ｂ０．５のような演算表記とする。なお、Ｒ０＝Ｇ０＝Ｂ０＝０とする。以上の場合の色の組み合わせは、色無しを別とすると、３３−１＝２６種類となるので、寒色系から暖色系まで十分表現することができる。図７に３色の光の組み合わせにより表現される表示色の例を示した。
【００２６】
なお、以上は冷蔵室１の庫内灯について説明したが、他の冷却室の庫内灯についても全く同様に実施できることは勿論であり、また、冷凍室と冷蔵室をもつ冷凍冷蔵庫を対象としたが、冷凍室のみをもつもの、冷蔵室のみをもつものにも同様に適用できる。発明の名称として「冷凍冷蔵庫」としたが、これは冷凍冷蔵庫、冷凍庫、冷蔵庫のいずれも含む概念である。また、以上では色光源３３に３原色ＬＥＤを使用したが、３原色ＬＣＤ（液晶）を使用することもできる。また、図４のフローチャートでは扉が２分以上開いているときは、そのとき検知されている温度に応じた色で庫内灯１５の色光源が点滅するよう構成した場合を説明したが、このときは温度に関係なく最大温度を表す色（例えば赤色）表示にして点滅するようにすれば、より強力な緊急警報発生の意味を持たせることができる。
【００２７】
【発明の効果】
以上から本発明によれば、温度センサが検知した温度によって色を変化させる３原色ＬＥＤや３原色ＬＣＤを庫内灯の色光源に使用するので、扉を開けたときの庫内温度を庫内灯の色によって表示することができるばかりか、温度センサが検知した温度と色表示との関係を任意に設定することができるので、若干の温度変化でも色変化を大きくさせることが可能であり、扉を開けているときの庫内の温度変化をユーザに強力にアッピールできる利点がある。
【図面の簡単な説明】
【図１】本発明の実施形態の冷凍冷蔵庫の各冷却室の基準温度と基準色の関係の説明図である。
【図２】同冷凍冷蔵庫の冷蔵室の制御ブロック図である。
【図３】同冷凍冷蔵庫の冷蔵室の制御系統図である。
【図４】同冷凍冷蔵庫の冷蔵室の庫内灯の制御フローチャートである。
【図５】光の３原色の説明図である。
【図６】（ａ）は色光源の斜視図、（ｂ）はカバーを外したときの庫内灯の平面図である。
【図７】（ａ）〜（ｃ）は３原色ＬＥＤによる表示色の説明図である。
【図８】従来の冷凍冷蔵庫の正面図である。
【図９】従来の表示／操作部の説明図である。
【符号の説明】
１：冷蔵室、２：切替室、３：製氷室、４：野菜室、５：冷凍室、６：表示／制御部、７：表示部、８：操作部
１１：制御部、１２：操作部、１３：温度センサ、１４：扉スイッチ、１５：庫内灯、１６：冷凍サイクル、１７：送風ファン、１８：メモリ、１９：他の電気系統
２１：圧縮機、２２：凝縮器、２３：キャピラリー、２４：蒸発器、２５：送風ファン
３１：筒状体、３２Ｒ，３２Ｇ，３２Ｂ：ＬＥＤ、３３：色光源、３４：回転台座
【図１】
2004286333.tif 000003
【図２】
2004286333.tif 000004
【図３】
2004286333.tif 000005
【図４】
2004286333.tif 000006
【図５】
2004286333.tif 000007
【図６】
2004286333.tif 000008
【図７】
2004286333.tif 000009
【図８】
2004286333.tif 000010
【図９】
2004286333.tif 000011